(57)【要約】【課題】  撮像装置を横撮りの姿勢に保持した状態で、縦長の画像の撮像を可能にする。【解決手段】  略長方形の撮像領域を有する撮像部１を備える撮像装置に、撮像部１を横撮りの姿勢に保持した状態で行う縦撮りの指示を受け付ける受付手段と、受付手段が前記指示を受け付けた場合、撮像部１の撮像画角を、前記指示を受け付けた時の撮像画角より広角の撮像画角に変更する画角変更手段と、画角変更手段が変更した撮像画角で撮像部が撮像する、前記撮像領域の長手方向の端部に係る画像をフィルタリングする手段とを備える。【選択図】        図１
2005286540.tif 000002
【特許請求の範囲】
【請求項１】
略長方形の撮像領域を有する撮像部を備え、該撮像部の撮像画角を変更すべくなしてある撮像装置において、
前記撮像部を横撮りの姿勢に保持した状態で行う縦撮りの指示を受け付ける受付手段と、
該受付手段が前記指示を受け付けた場合、前記撮像画角を、前記指示を受け付けた時の撮像画角より広角の撮像画角に変更する画角変更手段と、
該画角変更手段が変更した撮像画角で前記撮像部が撮像する前記撮像領域の長手方向の端部に係る画像をフィルタリングするフィルタ手段と
を備えることを特徴とする撮像装置。
【請求項２】
略長方形の撮像領域を有する撮像部を備え、該撮像部の撮像画角を変更すべくなしてある撮像装置において、
前記撮像部を横撮りの姿勢に保持した状態で行う縦撮りの指示を受け付ける受付手段と、
該受付手段が前記指示を受けていない場合、前記撮像画角の変更範囲を所定の撮像画角以下に制限する手段と、
前記受付手段が前記指示を受け付けた場合、前記撮像画角を、前記所定の撮像画角より広角の撮像画角に変更する画角変更手段と、
該画角変更手段が変更した撮像画角で前記撮像部が撮像する前記撮像領域の長手方向の端部に係る画像をフィルタリングするフィルタ手段と
を備えることを特徴とする撮像装置。
【請求項３】
前記フィルタ手段は、前記端部を除く撮像領域に係る画像部分の形状が前記撮像領域の形状と略相似形になるようにフィルタリングすべくなしてある請求項１又は請求項２に記載の撮像装置。
【請求項４】
略長方形の表示部と、
該表示部に、前記端部を除く撮像領域に係る画像部分を表示する表示手段とを更に備え、
前記表示手段は、前記画像部分の短辺と前記表示部の長辺とが略平行になるように表示すべくなしてある請求項１乃至請求項３のいずれか一つに記載の撮像装置。
【請求項５】
前記端部を除く撮像領域に係る画像部分を外部に出力する出力手段を更に備える請求項１乃至請求項４のいずれか一つに記載の撮像装置。
【請求項６】
前記画像部分を拡大する拡大手段を更に備え、
前記出力手段は、前記拡大手段が拡大した画像部分を外部に出力すべくなしてある請求項５に記載の撮像装置。
【発明の詳細な説明】
【技術分野】
【０００１】
本発明は、デジタルビデオカメラ、デジタルカメラ、又は銀塩カメラ等の撮像装置に関し、特に撮像装置の姿勢を保持したまま、縦撮り及び横撮りを行うことができる撮像装置に関する。
【背景技術】
【０００２】
撮像装置は、略長方形の撮像領域を有する撮像部を備えている。例えば、アスペクト比が４／３の受光部を有する横長のＣＣＤを備えている。従来の撮像装置においては、撮像装置の姿勢をＣＣＤが横向きになる姿勢にして撮像する横撮り、撮像装置を横に倒し、ＣＣＤを縦長にして撮像する縦撮りを行っていた。
【０００３】
ところが、撮像装置は、ＣＣＤが横向きになる正立した姿勢で行う横撮りを基本的な撮像形態として想定しているため、撮像装置を横に倒して縦撮りする場合、撮像装置を正立させた状態で撮像する場合に比べて、撮像者は無理な撮像姿勢を強いられるという問題があった。
【０００４】
また、横撮りを前提として、撮像した画像が処理されるため、撮像装置を横に倒して縦撮りした画像を外部に出力する場合、被写体が横倒しになった横長の画像が出力されるという問題があった。
【０００５】
これらの問題を受け、撮像者の指示に応じて、ＣＣＤ及び撮像した画像を表示する表示部を略９０度回転させるように構成した撮像装置が提案されている。この構成によれば、撮像者は撮像装置の姿勢を保持したまま縦撮り及び横撮りを行うことが可能となる（特許文献１）。
【０００６】
また、撮像装置の傾き又はＣＣＤの傾きを検出し、検出した傾きに係る情報を撮像した画像と共に記録しておき、画像を外部に出力する際に画像を前記傾きに応じて回転させ、出力することにより、被写体が正立した縦長の画像を出力するように構成した撮像装置が提案されている。この構成によれば、正立した状態から撮像装置を横に倒して縦撮りした場合であっても、撮像した画像を略９０度回転させて外部に出力することにより、被写体が正立した縦長の画像を出力することができる。
【特許文献１】特開２００１−２１８０８７号公報
【発明の開示】
【発明が解決しようとする課題】
【０００７】
しかしながら、従来の撮像装置においては、ＣＣＤ及び表示部を回転させる駆動装置が必要であり、撮像装置の構造が複雑になるという問題があった。また、撮像装置又はＣＣＤの傾きを検出する装置、撮像した画像を回転させる画像処理手段を設ける必要があり、撮像装置の構造、及び画像処理の内容が複雑になるという問題があった。
【０００８】
本発明は、斯かる事情に鑑みてなされたものであり、撮像装置の姿勢を横撮りの姿勢に保持した状態で縦長の画像を撮像することができるように、撮像部の撮像画角を広げて撮像を行い、撮像した画像の長手方向の端部をフィルタリングする手段を備えることにより、簡易な構成で、撮像装置の姿勢を保持したまま縦長の画像を撮像することができる撮像装置を提供することを目的とする。
【０００９】
また、撮像装置を横撮りの姿勢に保持した状態で縦長の画像を撮像する機能を常に使用することができるように、横撮り状態においては撮像画角の変更可能な範囲を、所定の撮像画角以下に限定し、前記機能を使用する場合、所定の撮像画角より広角の撮像画角に変更することができるように構成することにより、常に前記機能の使用を開始することができる撮像装置を提供することを他の目的とする。
【００１０】
更に、フィルタリングしない画像部分の形状が、撮像領域の形状と略相似になるようにフィルタリングするフィルタ手段を備えることにより、アスペクト比が撮像領域と同じ縦長の撮像視野を得ることができる撮像装置を提供することを他の目的とする。
【００１１】
更にまた、縦撮りに相当する状態で撮像した画像をフィルタリングし、フィルタリングした後の画像を表示部に表示する手段を備えることにより、縦長の画像を表示することができる撮像装置を提供することを他の目的とする。
【００１２】
更にまた、フィルタリングしない縦長の画像部分を出力する手段を備えることにより、画像の回転処理を行わず、縦長の画像を出力することができる撮像装置を提供することを他の目的とする。
【００１３】
更にまた、フィルタリングしない縦長の画像部分を拡大して出力する手段を備えることにより、撮像した画像全体を出力する場合に出力される画像と同じ大きさの画像を出力することができる撮像装置を提供することを他の目的とする。
【課題を解決するための手段】
【００１４】
本発明に係る撮像装置は、略長方形の撮像領域を有する撮像部を備え、該撮像部の撮像画角を変更すべくなしてある撮像装置において、前記撮像部を横撮りの姿勢に保持した状態で行う縦撮りの指示を受け付ける受付手段と、該受付手段が前記指示を受け付けた場合、前記撮像画角を、前記指示を受け付けた時の撮像画角より広角の撮像画角に変更する画角変更手段と、該画角変更手段が変更した撮像画角で前記撮像部が撮像する前記撮像領域の長手方向の端部に係る画像をフィルタリングするフィルタ手段とを備えることを特徴とする。
【００１５】
本発明にあっては、撮像部を横撮りの姿勢に保持した状態で行う縦撮りの指示を受付手段が受け付けた場合、前記指示を受け付けた時の撮像画角を、より広角の撮像画角に変更して撮像部が撮像を行う。撮像画角をより広角の撮像画角に変更し、撮像視野を広げることにより、撮像領域を縦向きにした縦撮りの場合に得られる撮像視野を、撮像装置の姿勢を保持したまま得ることができる。つまり、撮像領域が横向きの状態から撮像装置を横に倒し、撮像領域を縦向きにした場合に縦向きに拡がる撮像視野を、撮像装置の姿勢を保持したまま得ることができる。更に、撮像領域の長手方向の端部に係る画像は、フィルタ手段によりフィルタリングされる。フィルタ手段は、例えば、前記端部に係る画像を単色で塗り潰す画像処理を行う。従って、撮像領域を縦向きにした場合に得られる撮像視野と同様な縦長の撮像視野を得ることができる。
【００１６】
本発明に係る撮像装置は、略長方形の撮像領域を有する撮像部を備え、該撮像部の撮像画角を変更すべくなしてある撮像装置において、前記撮像部を横撮りの姿勢に保持した状態で行う縦撮りの指示を受け付ける受付手段と、該受付手段が前記指示を受けていない場合、前記撮像画角の変更範囲を所定の撮像画角以下に制限する手段と、前記受付手段が前記指示を受け付けた場合、前記撮像画角を、前記所定の撮像画角より広角の撮像画角に変更する画角変更手段と、該画角変更手段が変更した撮像画角で前記撮像部が撮像する前記撮像領域の長手方向の端部に係る画像をフィルタリングするフィルタ手段とを備えることを特徴とする。
【００１７】
本発明にあっては、撮像部を横撮りの姿勢に保持した状態で行う縦撮りの指示を受付手段が受け付けない場合、撮像画角の変更可能な範囲を、所定の撮像画角以下に制限し、前記指示を受け付けた場合、画角変更手段は、撮像画角を所定の撮像画角より広角の撮像画角に変更する。つまり、撮像部を横撮りの姿勢に保持したまま行う縦撮りに必要な広角の撮像画角範囲を確保しておくことにより、いつでも撮像部を横撮りの姿勢に保持したまま行う縦撮りの機能を使用することができる。また、撮像領域の長手方向の端部に係る画像はフィルタ手段によりフィルタリングされる。従って、撮像領域を縦向きにした場合に得られる撮像視野と同様な縦長の撮像視野を常に得ることができる。
【００１８】
本発明に係る撮像装置において、前記フィルタ手段は、前記端部を除く撮像領域に係る画像部分の形状が前記撮像領域の形状と略相似形になるようにフィルタリングすべくなしてあることを特徴とする。
【００１９】
本発明にあっては、前記端部を除く撮像領域に係る画像、即ちフィルタリングしない画像部分の形状は、撮像領域の形状と略相似形である。従って、撮像領域を縦向きにして縦撮りする場合の撮像視野と相似の撮像視野を得ることができる。
【００２０】
本発明に係る撮像装置は、略長方形の表示部と、該表示部に、前記端部を除く撮像領域に係る画像部分を表示する表示手段とを更に備え、前記表示手段は、前記画像部分の短辺と前記表示部の長辺とが略平行になるように表示すべくなしてあることを特徴とする。
【００２１】
本発明にあっては、フィルタリングしない画像部分が表示部に表示されるが、前記画像部分の短辺は、表示面の長辺と略平行である。従って、横長の表示部に対して、フィルタリングされていない縦長の画像部分が表示される。
【００２２】
本発明に係る撮像装置は、前記端部を除く撮像領域に係る画像部分を外部に出力する出力手段を更に備えることを特徴とする。
【００２３】
本発明にあっては、フィルタリングしない縦長の画像部分を出力することができる。従って、画像を回転させる画像処理を行うことなく、縦長の画像部分を出力することができる。
【００２４】
本発明に係る撮像装置は、前記画像部分を拡大する拡大手段を更に備え、前記出力手段は、前記拡大手段が拡大した画像部分を外部に出力すべくなしてあることを特徴とする。
【００２５】
本発明にあっては、フィルタリングしない画像部分を拡大して出力するため、撮像した画像全体を出力した場合に出力される画像と同じ大きさの画像を、縦長の画像として出力することができる。
【発明の効果】
【００２６】
本発明に係る撮像装置にあっては、撮像装置を横撮りの姿勢に保持したまま、縦撮りに相当する撮像を行うことができる。
【００２７】
本発明に係る撮像装置にあっては、撮像画角の広狭に関わらず、撮像装置を横撮りの姿勢に保持したまま、縦撮りに相当する撮像を常に開始することができる。
【００２８】
本発明に係る撮像装置にあっては、撮像装置を横撮りの姿勢に保持したまま、撮像領域の形状と相似である縦長の撮像視野を得ることができる。
【００２９】
本発明に係る撮像装置にあっては、撮像装置を横撮りの姿勢に保持したまま、縦長の画像部分を表示部に表示することができる。
【００３０】
本発明に係る撮像装置にあっては、撮像した画像を回転処理することなく、縦長の画像部分を出力することができる。
【００３１】
本発明に係る撮像装置にあっては、撮像した画像を回転処理することなく、縦撮りした場合に撮像される縦長の画像と同じ大きさの画像部分を出力することができる。
【発明を実施するための最良の形態】
【００３２】
以下、本発明に係る撮像装置を、その実施の形態を示す図面に基づいて詳述する。図１は、本発明に係る撮像装置の構成を示すブロック図である。図１中、１は撮像部であり、被写体からの光を集光する光学系１０と、光学系１０で集光し、結像した被写体の像を撮像信号に変換する撮像素子１１とを有している。
【００３３】
図２は、光学系１０及び撮像素子１１の模式図である。図２中、１０ａは被写体からの光を集光するフォーカスレンズである。フォーカスレンズ１０ａの後方には、光学系１０の焦点距離を変化させ、撮像部１に係る撮像画角を変更するバリエータ１０ｂが同一光軸上に移動可能に配置されている。バリエータ１０ｂの更に後方には、可変屈折力素子、即ちバリエータ１０ｂの移動に連動して光軸上を移動し、ピントずれを補正するコンペンゼータ１０ｃと、コンペンゼータ１０ｃからの光を撮像素子１１に導き結像させるリレーレンズ群１０ｄとが光軸上にこの順で配置されている。バリエータ１０ｂは、光軸に沿ってフォーカスレンズ１０ａ側の位置Ａと、コンペンゼータ１０ｃ側の位置Ｂとの間で移動可能に構成されている。撮像素子１１は、略長方形の撮像領域、即ち略長方形の受光部分を有するＣＣＤであり、撮像素子１１の中心軸がレンズの光軸に一致するように、リレーレンズ群１０ｄの後方に設けられている。
【００３４】
図１に示すレンズ駆動部３は、バリエータ１０ｂを光軸に沿って移動させるモータ、例えば電流の切り替えにより所定角度回転するステッピングモータを備えている。また、レンズ駆動部３は、位置Ａよりコンペンゼータ１０ｃ側に所定の距離ｄ離れた位置Ｃと、位置Ｂよりフォーカスレンズ１０ａ側に距離ｄ離れた位置Ｄに、バリエータ１０ｂが位置していることを検出する位置検出回路を備えている。レンズ駆動部３の駆動制御、つまりバリエータ１０ｂの移動及びバリエータ１０ｂの移動位置の制限はマイクロコンピュータである制御部２が行う。
【００３５】
撮像信号処理部４は、撮像素子１１の撮像信号をデジタルの画像データにＡＤ変換するＡＤコンバータである。撮像信号処理部４でＡＤ変換された画像データは、一時記憶用のメモリ５ａに記憶され、記憶された画像データに係る画像は画像処理部５によって画像処理される。画像処理部５は、画像の一部を単色で塗り潰してフィルタリングする機能、及び画像を補間演算により拡大する機能を備えている。画像処理部５で画像処理された画像の画像データは、記録再生部８によって、不揮発性半導体メモリである記録媒体８０に記録される。また、画像処理部５で画像処理された画像は、略長方形の表示面を有する表示部６、例えば液晶ディスプレイに送られ、表示される。前記表示面の形状は、撮像素子１１の受光部分の形状と同じである。画像処理部５で画像処理されない場合、ＡＤ変換された画像データに係る画像がそのまま表示部６に表示される。出力部７は、画像処理部５で画像処理された画像の画像データをプリンタ出力用の信号、又は外部ディスプレイ表示用の信号に変換して出力するためのインターフェイスであり、例えばＵＳＢ規格で構成されている。
【００３６】
操作部９は、撮像装置の電源スイッチ９ａ、本発明に係る縦撮り状態と通常の横撮り状態とを切り替える切り替えボタン９ｂ、撮像画角を広角にし、被写体の像を縮小するズームアウトボタン９ｃ、撮像画角を狭角にし、被写体の像を拡大するズームインボタン９ｄ、撮像した画像を記録媒体８０に記録するシャッターボタン９ｅ、及び画像を撮像装置の外部に出力する出力ボタン９ｆを備えている。電源スイッチ９ａ、切り替えボタン９ｂ、ズームアウトボタン９ｃ、ズームインボタン９ｄ、シャッターボタン９ｅ、及び出力ボタン９ｆの操作状態は制御部２が検出できるように構成されている。
【００３７】
次に、本発明に係る制御部２の処理手順を説明する。図３乃至図６は、制御部２の処理手順を示すフローチャートである。まず、電源スイッチ９ａがオンになった場合、制御部２は、本発明に係る縦撮りの機能を使用している縦撮り状態にあるか否かを示すフラグＦに値０を設定する（ステップＳ１）。そして、制御部２は切り替えボタン９ｂの状態を検出し、切り替えボタン９ｂが押されているか否かを判定する（ステップＳ２）。切り替えボタン９ｂが押されていると判定した場合（ステップＳ２：ＹＥＳ）、制御部２はフラグＦの値が０であるか否かを判定する（ステップＳ３）。
【００３８】
フラグＦの値が０であると判定した場合（ステップＳ３：ＹＥＳ）、制御部２はフラグＦに値１を設定し（ステップＳ４）、バリエータ１０ｂをフォーカスレンズ１０ａ側に距離ｄ移動させる（ステップＳ５）。より具体的には、制御部２がレンズ駆動部３のステッピングモータを所定回数ステップさせて、バリエータ１０ｂを距離ｄ移動させる。
【００３９】
フラグＦの値が０でないと判定した場合（ステップＳ３：ＮＯ）、制御部２はフラグＦに値０を設定し（ステップＳ６）、バリエータ１０ｂをコンペンゼータ１０ｃ側に距離ｄ移動させる（ステップＳ７）。
【００４０】
ステップＳ５若しくはステップＳ７の処理を終えた場合、又はステップＳ２において切り替えボタン９ｂが押されていないと判定した場合（ステップＳ２：ＮＯ）、制御部２は撮像素子１１に結像している像を撮像信号に変換する。そして、制御部２は撮像信号処理部４によって撮像信号をデジタルの画像データにＡＤ変換し、ＡＤ変換した画像データをメモリ５ａに記憶させる（ステップＳ８）。
【００４１】
次いで、制御部２はフラグＦの値が１であるか否かを判定する（ステップＳ９）。フラグＦの値が１であると判定した場合（ステップＳ９：ＹＥＳ）、制御部２は、ＡＤ変換され、メモリ５ａに記憶された画像データに係る画像の両端部を、画像処理部５によって単色で塗し、画像の両端部を除く画像部分の形状が撮像領域の形状と略相似となるようにフィルタリングする（ステップＳ１０）。例えば、画像の長辺の長さを４、短辺の長さを３とした場合、フィルタリングされない画像部分の長辺の長さを３、短辺の長さを３×３／４としたとき、画像部分のアスペクト比が３／４の縦長の画像となる。つまり、画像の長辺方向における両端部の長さが４−９／４＝７／４となり、画像部分夫々の長さが７／８となるようにフィルタリングする。両端部を黒色で塗り潰す場合、画像の両端部の画素値を０にする。
【００４２】
ステップＳ１０でフィルタリングを終えた場合、又はステップＳ９においてフラグＦの値が１でないと判定した場合（ステップＳ９：ＮＯ）、制御部２はメモリ５ａに記憶されている画像データを表示部６に送り、画像データに係る画像を表示部６に表示する（ステップＳ１１）。フラグＦの値が０である場合、ステップＳ８で撮像された画像がそのまま表示部６に表示され、フラグＦの値が１である場合、ステップＳ１０でフィルタリング処理された画像が表示部６に表示される。
【００４３】
次いで、制御部２は図５に示すズームアウト及びズームインに係るサブルーチンへ処理を移す（ステップＳ１２）。制御部２は、ズームアウトボタン９ｃの状態を検出し、ズームアウトボタン９ｃが押されているか否かを判定する（ステップＳ１０１）。ズームアウトボタン９ｃが押されていると判定した場合（ステップＳ１０１：ＹＥＳ）、制御部２はフラグＦの値が１であるか否かを判定する（ステップＳ１０２）。フラグＦの値が１ではないと判定した場合（ステップＳ１０２：ＮＯ）、制御部２はバリエータ１０ｂが位置Ｃに位置しているか否かをレンズ駆動部３が備える位置検出回路の状態を検出して判定する（ステップＳ１０３）。バリエータ１０ｂが位置Ｃに位置していないと判定した場合（ステップＳ１０３：ＮＯ）又はステップＳ１０２においてフラグＦの値が１であると判定した場合（ステップＳ１０２：ＹＥＳ）、制御部２はバリエータ１０ｂを所定距離フォーカスレンズ１０ａ側に移動させる（ステップＳ１０４）。より具体的には、制御部２はレンズ駆動部３のステッピングモータを１回、又は複数回ステップさせて回転させる。
【００４４】
ステップＳ１０３においてバリエータ１０ｂが位置Ｃに位置していると判定した場合（ステップＳ１０３：ＹＥＳ）、又はステップＳ１０１においてズームアウトボタン９ｃが押されていないと判定した場合（ステップＳ１０１：ＮＯ）、制御部２はズームインボタン９ｄの状態を検出し、ズームインボタン９ｄが押されているか否かを判定する（ステップＳ１０５）。ズームインボタン９ｄが押されていると判定した場合（ステップＳ１０５：ＹＥＳ）、次いで制御部２はフラグＦの値が１であるか否かを判定する（ステップＳ１０６）。フラグＦの値が１であると判定した場合（ステップＳ１０６：ＹＥＳ）、制御部２はバリエータ１０ｂが位置Ｄに位置しているか否かをレンズ駆動部３が備える位置検出回路の状態を検出して判定する（ステップＳ１０７）。バリエータ１０ｂが位置Ｄに位置していないと判定した場合（ステップＳ１０７：ＮＯ）又はステップＳ１０６においてフラグＦの値が１ではないと判定した場合（ステップＳ１０６：ＮＯ）、制御部２はバリエータ１０ｂを所定距離コンペンゼータ１０ｃ側に移動させる（ステップＳ１０８）。より具体的には、ステップＳ１０４におけるステッピングモータの回転方向と逆向きに、ステッピングモータを１回、又は複数回ステップさせて回転させる。
【００４５】
バリエータ１０ｂが位置Ｄに位置していると判定した場合（ステップＳ１０７：ＹＥＳ）、ステップＳ１０５においてズームインボタン９ｄが押されていないと判定した場合（ステップＳ１０５：ＮＯ）、又はステップＳ１０８の処理を終えた場合、サブルーチンの処理を終え、処理を図４示す処理手順に戻す。
【００４６】
ステップＳ１２のズームアウト及びズームインに係るサブルーチン処理を終えた場合、制御部２はシャッターボタン９ｅの状態を検出し、シャッターボタン９ｅが押されているか否かを判定する（ステップＳ１３）。シャッターボタン９ｅが押されていると判定した場合（ステップＳ１３：ＹＥＳ）、制御部２は縦撮り状態で撮像した画像であるか否かを示す判定データ及びメモリ５ａが記憶している画像データを記録媒体８０に記録する（ステップＳ１４）。判定データはフラグＦの値である。
【００４７】
ステップＳ１４で画像データの記録を終えた場合、又はシャッターボタン９ｅが押されていないと判定した場合（ステップＳ１３：ＮＯ）、制御部２は、電源スイッチ９ａの状態を検出し、電源スイッチ９ａがオフの状態にあるか否かを判定する（ステップＳ１５）。電源スイッチ９ａがオフの状態にないと判定した場合（ステップＳ１５：ＮＯ）、制御部２は処理をステップＳ２に戻す。電源スイッチ９ａがオフの状態にあると判定した場合（ステップＳ１５：ＹＥＳ）、制御部２は、レンズ駆動部３によってバリエータ１０ｂを位置Ｃに移動させ（ステップＳ１６）、処理を終了する。
【００４８】
次に、図６に示す画像データの出力に係る処理手順を説明する。出力ボタン９ｆが押された場合、制御部２は記録媒体８０から画像データ及び判定データをメモリ５ａに読み出す（ステップＳ２０１）。そして、制御部２は選択された画像の判定データの値が１であるか否かを判定する（ステップＳ２０２）。判定データの値が１であると判定した場合（ステップＳ２０２：ＹＥＳ）、即ち画像データが縦撮り状態で記録されている場合、制御部２は画像データに係る画像のフィルタリング処理されていない画像部分を抽出し、補間演算により拡大した画像を生成する（ステップＳ２０３）。ステップＳ２０３で拡大された画像部分の大きさは、撮像された画像全体の大きさに等しい。例えば、画像の長辺の長さが４、短辺の長さが３である場合、前記画像に相似な縦長の画像に係る長辺の長さは３、短辺の長さは３×３／４となるため、画像部分を４／３倍に拡大する。
【００４９】
次いで、ステップＳ２０３の処理を終えた場合、又はステップＳ２０２において判定データが１ではないと判定した場合（ステップＳ２０２：ＮＯ）、制御部２はメモリ５ａが記憶している画像データを印刷用フォーマットに変換する（ステップＳ２０４）。そして、制御部２は印刷用フォーマットに変換した画像データを出力部７に送り、外部に出力する（ステップＳ２０５）。例えば、プリンタに接続するＵＳＢケーブルが出力部７に接続している場合、出力部７に送られた画像データは、プリンタに出力される。出力を終えた場合、制御部２は画像出力に係る処理を終える。なお、ここで、画像データを外部ディスプレイ表示用の信号に変換して、出力部７に送っても良い。
【００５０】
図７は、横撮り状態及び縦撮り状態で表示部６に表示される画像の模式図である。図７（ａ）は、山、人物等の被写体と、横撮り状態において表示部６に表示される画像αとを示している。図７（ｂ）は、縦撮り状態において表示部６に表示される画像βを示している。図７（ｂ）の縦方向の撮像視野は、図７（ａ）の横方向の撮像視野と等しい。つまり、バリエータ１０ｂを移動させる距離ｄは、図７に示すように、撮像装置を横撮りの姿勢に保持したまま、縦撮りに相当する撮像視野を得ることが可能となるような距離として設定されている。
【００５１】
上述した本発明に係る撮像装置の動作について説明する。まず、電源スイッチ９ａが押された状態においては、通常の横撮り状態となっている。この場合、フラグＦの値はステップＳ１で０に設定される。フラグＦの値は０であるから、ステップＳ８でＡＤ変換した画像は、ステップＳ１０でフィルタリングされず、図７（ａ）に示すようにそのまま表示部６に表示される（ステップＳ１１）。そして、シャッターボタン９ｅが押された場合、ステップＳ１４で、メモリ５ａに記憶されている画像αと、フラグＦの値０を有する判定データとが記録媒体８０に記録される。
【００５２】
ここで、ズームインボタン９ｄが押された場合、フラグＦの値は１ではないため、ステップＳ１０７の処理によりバリエータ１０ｂの移動範囲が制限されることなく、バリエータ１０ｂはコンペンゼータ１０ｃ側に移動する。バリエータ１０ｂがコンペンゼータ１０ｃ側に移動した場合、撮像画角が狭角となり、被写体の像が大きくなる。ズームアウトボタン９ｃが押された場合、バリエータ１０ｂが位置Ｃに位置していない限り、バリエータ１０ｂはフォーカスレンズ１０ａ側に移動する。バリエータ１０ｂがフォーカスレンズ１０ａ側に移動した場合、撮像画角は広角となり、被写体の像が小さくなる。ところが、フラグＦの値が０であり、バリエータ１０ｂが位置Ｃに位置する場合、ステップＳ１０３の処理によって、ステップＳ１０４の処理が飛ばされ、バリエータ１０ｂのフォーカスレンズ１０ａ側への移動が制限される。従って、横撮り状態から縦撮り状態に切り替えた場合、ステップＳ５でバリエータ１０ｂをフォーカスレンズ１０ａ側に距離ｄ移動させる移動範囲を確保することが可能となる。
【００５３】
横撮り状態で切り替えボタン９ｂが押された場合、ステップＳ４でフラグＦの値を０から１に書き換え、ステップＳ５でバリエータ１０ｂをフォーカスレンズ１０ａ側に距離ｄ移動させる。バリエータ１０ｂをフォーカスレンズ１０ａ側に距離ｄ移動させた場合、図７（ｂ）に示すような広角の撮像画角に変更される。そして、変更した撮像画角において撮像素子１１に結像している像の撮像信号が、ステップＳ８でＡＤ変換される。そしてまた、フラグＦの値は１であるため、ステップＳ１０でＡＤ変換した画像データに係る画像の両端部がフィルタリングされ、フィルタリングされた画像は、図７（ｂ）に示すような画像βとなる。画像βは、ステップＳ１１で表示部６に表示される。以上の処理により、図７（ｂ）に示す縦長の画像部分β２が得られる。ここで、シャッターボタン９ｅが押された場合、ステップＳ１４で、メモリ５ａに記憶されているフィルタリング処理された画像βと、フラグＦの値１を有する判定データとが記録媒体８０に記録される。
【００５４】
縦撮り状態で切り替えボタン９ｂが押された場合、ステップＳ６でフラグＦの値を１から０に書き換え、ステップＳ７でバリエータ１０ｂをコンペンゼータ１０ｃ側に距離ｄ移動させる。ステップＳ７の処理により、撮像画角は横撮り状態の撮像画角に戻る。また、縦撮り状態、及び横撮り状態いずれの状態においても、電源スイッチ９ａが押された場合、ステップＳ１６で、バリエータ１０ｂは位置Ｃまで移動して、撮像に係る処理が終了する。
【００５５】
一方、出力ボタン９ｆが押された場合であって、横撮り状態で撮像した画像αを出力するとき、読み出される判定データの値は０であるため、ステップＳ２０３の処理は実行されず、画像αの画像データがそのまま印刷用フォーマットに変換され、出力部７から外部のプリンタに出力される。縦撮り状態で撮像した画像βを出力する場合、読み出される判定データの値は１であるため、ステップＳ２０３で画像部分β２が抽出され、拡大される。そして、拡大された画像部分β２は、ステップＳ２０４で印刷用フォーマットに変換され、出力部７から外部のプリンタに出力される。
【００５６】
本発明によれば、切り替えボタンで撮像の状態を縦撮り状態に切り替えた場合、ステップＳ５の処理によって、撮像部の撮像画角は、縦撮り状態に切り替えられた時の撮像画角より広角の撮像画角に変更される。そして、ステップＳ１０の処理によって、画像の両端部β１が図７（ｂ）に示すようにフィルタリングされ、縦長の画像部分β２が表示部に表示される。従って、撮像装置を横撮りの姿勢に保持したまま、縦撮りに相当する撮像を行うことができる。例えば、図７（ａ）に示す横撮り状態では、山の頂上部分が視野から外れており、縦撮りが必要とされるが、ここで切り替えボタンを押した場合、撮像視野が図７（ｂ）に示すような状態となり、山の山頂部分及び人物が撮像視野に入る縦長の画像が撮像される。
【００５７】
また、横撮り状態においては、ステップＳ１０２及びステップＳ１０３の処理によって、バリエータが位置Ｃを超えてフォーカスレンズ側に移動しないように制限するため、横撮り状態から縦撮り状態に切り替える場合、常にバリエータをフォーカスレンズ側に距離ｄだけ移動させることができる。従って、横撮り状態における撮像画角の広狭に関わらず、本発明に係る縦撮り状態に切り替えることができる。
【００５８】
更に、ステップＳ１０におけるフィルタリングは、フィルタリングされない画像部分β２の形状が撮像領域の形状と略相似になるように行われ、画像部分β２が、図７（ｂ）に示すように画像部分β２の短辺と表示部の長辺とが略平行となるように表示されるため、撮像装置を横撮りの姿勢に保持したまま、縦長の画像が表示部に表示され、記録される。
【００５９】
更にまた、ステップＳ２０３の処理によって、抽出した画像部分β２を拡大して出力するため、画像を回転させる画像処理を行うことなく、被写体が正立した縦長の画像を外部に出力することができる。また、画像部分を原画像と同じ大きさの画像に拡大して出力することができる。
【００６０】
なお、本実施の形態にあっては、横撮り状態においてバリエータの移動範囲を、位置Ｃよりコンペンゼータ側に制限しているが、バリエータの移動範囲を制限せずに位置Ａと位置Ｂとの間で移動することができるように構成しても良い。
【００６１】
また、本発明に係る縦撮りを行う場合、バリエータを距離ｄだけフォーカスレンズ側に移動させているが、これに限らず、距離ｄと異なる距離だけバリエータをフォーカスレンズ側に移動させても良い。
【００６２】
更に、本実施の形態にあっては、距離ｄは定数であるが、光学系の特性によっては距離ｄがバリエータの位置に関して可変であっても良い。
【００６３】
更にまた、バリエータを移動させることにより撮像画角を変更しているが、これに限るものでは無く、画像をデジタル的に処理し、撮像画角を変更しても良い。
【００６４】
更にまた、実施の形態にあっては、縦撮り状態において画像処理した後の画像全体を記録媒体に記録しているが、これに限るものではなく、フィルタリングしない画像部分β２のみを拡大し、拡大した画像を記録媒体に記録するように構成しても良い。
【００６５】
更にまた、撮像した画像を一旦記録媒体に記録した後、外部に出力しているが、撮像した画像をメモリに記憶させ、そのまま画像を外部に直接出力するように構成しても良い。
【図面の簡単な説明】
【００６６】
【図１】本発明に係る撮像装置の構成を示すブロック図である。
【図２】光学系及び撮像素子の模式図である。
【図３】制御部の処理手順を示すフローチャートである。
【図４】制御部の処理手順を示すフローチャートである。
【図５】制御部の処理手順を示すフローチャートである。
【図６】制御部の処理手順を示すフローチャートである。
【図７】横撮り状態及び縦撮り状態で表示部に表示される画像の模式図である。
【符号の説明】
【００６７】
１  撮像部
２  制御部
３  レンズ駆動部
４  撮像信号処理部
５  画像処理部
５ａ  メモリ
６  表示部
７  出力部
８  記録再生部
９  操作部
９ａ  電源スイッチ
９ｂ  切り替えボタン
９ｄ  ズームインボタン
９ｃ  ズームアウトボタン
９ｅ  シャッターボタン
９ｆ  出力ボタン
１０  光学系
１０ａ  フォーカスレンズ
１０ｂ  バリエータ
１１  撮像素子
８０  記録媒体
【図１】
2005286540.tif 000003
【図２】
2005286540.tif 000004
【図３】
2005286540.tif 000005
【図４】
2005286540.tif 000006
【図５】
2005286540.tif 000007
【図６】
2005286540.tif 000008
【図７】
2005286540.tif 000009